(57)【要約】【目的】本発明は、机と共に使用されるキャビネットに関するものであり、必要な機能（机天板の下に収納可能で、必要な時には机天板と面一な高さとなって作業面を拡大する機能）を損なうことなく、安価に製作できるキャビネットを提供する事を目的とする。【構成】左右側板と後板と底板と棚板を有し、机天板の下方に収納可能な高さに形成されたキャビネット本体と、机天板と同一高さとなるよう左右支持脚を介してキャビネット本体の上方に着脱自在に支持されたキャビネット天板より構成され、キャビネット本体が机天板の下方で使用される時には、キャビネット天板を左右支持脚を介してキャビネット本体の後方で保持したものである。【選択図】    図４
2005000291.tif 000002
【特許請求の範囲】
【請求項１】
左右側板と後板と底板と棚板を有し、机天板の下方に収納可能な高さに形成されたキャビネット本体と、机天板と同一高さとなるよう左右支持脚を介してキャビネット本体の上方に着脱自在に支持されたキャビネット天板より構成され、キャビネット本体が机天板の下方で使用される時には、キャビネット天板を左右支持脚を介してキャビネット本体の後方で保持したことを特徴とするキャビネット。
【請求項２】
左右側板と後板と底板と棚板を有し、机天板の下方に収納可能な高さに形成されたキャビネット本体と、机天板と同一高さとなるよう左右支持脚を介してキャビネット本体の上方に支持されたキャビネット天板より構成され、左右側板は上端面と後端部に左右支持脚が嵌入する第１、第２保持孔を有し、キャビネット天板が机天板と同一高さで使用される時は、左右支持脚は第１保持孔に嵌入し、キャビネット本体が机天板の下方で使用される時には、左右支持脚は第２支持孔に嵌入して左右側板内に位置することにより、キャビネット天板をキャビネット本体の後方で保持したことを特徴とするキャビネット。
【発明の詳細な説明】
【０００１】
【発明の属する技術分野】
本発明は、机と共に使用されるキャビネットに関するものである。
【０００２】
【従来の技術】
一般に、作業面の拡大や、書類収納性の向上を図る為、机と共にキャビネットが使用されている。
そして、上記キャビネットとして、業務内容によって広い作業面を必要とする場合は、机に並置したキャビネットの天板を持ち上げて、机天板とほぼ面一の高さとなすことで作業面の拡大を図り、又、広い作業面を必要としない場合は、キャビネットの天板を、机の天板の下側の位置まで下降させ、机の天板下方のスペースに収納可能としたものが提供されている。（例えば、特許文献１参照。）
しかしながら、上記キャビネットには天板を昇降させる機構が組み込まれているので高価となる欠点があった。
一方、オフィスでは、広い作業面が必要な業務と、そうでない業務が短時間のうちで繰り返し行われるれることはほとんどなく、又、ワークスペースも限られているので、上記キャビネットの機能が頻繁に活用される事はほとんどなく、投資費用に対し十分な効果を得ることが出来なかった。
そのため、オフィスにおいて、上記機能のキャビネットは十分に普及するまでには至ってなかった。
【０００３】
【特許文献１】
実公平５−３６０５公報
【０００４】
【本発明が解決しようとする課題】
本発明は、上記使用状況に鑑み、必要な機能（机天板の下に収納可能で、必要な時には机天板と面一な高さとなって作業面を拡大する機能）を損なうことなく、
安価に製作できるキャビネットを提供する事を課題とする。
【０００５】
【課題を解決するための手段】
そこで、上記課題を解決する為、本発明が第１の手段として構成したところは、左右側板と後板と底板と棚板を有し、机天板の下方に収納可能な高さに形成されたキャビネット本体と、机天板と同一高さとなるよう左右支持脚を介してキャビネット本体の上方に着脱自在に支持されたキャビネット天板より構成され、キャビネット本体が机天板の下方で使用される時には、キャビネット天板を左右支持脚を介してキャビネット本体の後方で保持したものである。
【０００６】
次に、本発明が第２の手段として構成したところは左右側板と後板と底板と棚板を有し、机天板の下方に収納可能な高さに形成されたキャビネット本体と、机天板と同一高さとなるよう左右支持脚を介してキャビネット本体の上方に支持されたキャビネット天板より構成され、左右側板は上端面と後端部に左右支持脚が嵌入する第１、第２保持孔を有し、キャビネット天板が机天板と同一高さで使用される時は、左右支持脚は第１保持孔に嵌入し、キャビネット本体が机天板の下方で使用される時には、左右支持脚は第２支持孔に嵌入して左右側板内に位置することにより、キャビネット天板をキャビネット本体の後方で保持したものである。
【０００７】
【実施例】
以下実施例を図面に基づいて説明する。
図１は、本発明を机天板の下方で使用した状態の斜視図を示し、符号１は机、
符号２は本発明のキャビネットを示している。
机１は、机天板１１と、机天板１１の左右端部下面に配設された左右側脚１２、１２等より構成され、机天板１１の下方にキャビネット２の収納空間１３が形成されている。
符号１０・・・は左右側脚１２、１２の下面に設けられたアジャスターを示している。
【０００８】
キャビネット２は、左右側板２１、２１と、左右側板２１、２１の下端部間に配設された底板２２と、左右側板２１、２１間に取り付け高さ変更可能に配設された棚板４と、左右側板２１、２１と底板２２の後端部の開口を閉塞する後板２３より構成された、上面と前面が開口するキャビネット本体２０と、左右支持脚３、３を介してキャビネト本体２０に着脱自在にとりつけられたキャビネット天板５より構成されている。
符号６・・・は、キャビネット本体２０の下面４角にもうけられた自在キャスターを示し、符号８・・・は棚板４と底板２２上に着脱自在に設けられた仕切板を示している。
【０００９】
キャビネット本体２０は、収納空間１３内に収納可能な高さ寸法で、机天板１１の下方に収納された状態でも、使用者が着席可能な十分な空間が机天板１１の下方に形成される奥行きおよび巾寸法に形成されている。
【００１０】
左右側板２１、２１は対向した同形に形成されているので一方側についてのみ説明する。
左側板２１は、縦方向に内部を空洞部７０、７０となした補強部材７、７を内面前後端部に有し、補強部材７、７の空洞部７０、７０の前後端部が臨む位置の上端面の前後端部に、キャビネット天板５の左支持脚３、３が嵌入する第１保持孔３１、３１が形成され、第一保持孔３１、３１には合成樹脂製の第一保持部材３２、３２がとりつけられる一方、補強部材７、７の空洞部７０、７０の所定高さ位置には、左支持脚３、３の下端面を支持する支持突片２３、３２が設けられ、キャビネット天板５は、左右支持脚３、３を介して、第１保持孔３１、３１（第１保持部材３２、３２）と支持突片２３、３２で、キャビネット本体２０の上方の所定高さ（机天板１１と同じ高さ）位置に支持される。
すなわち、左側板２１内に嵌入した天板支持脚３は補強部材７、７の空洞部７０、７０内に位置するので、キャビネット本体２０の内部側で露出することがないので、収納物に悪影響を及ぼすことも、又、美観を損なうこともない。
【００１１】
又、左側板２１の後端部に、キャビネット天板５の左支持脚３、３の前後間隔に等しい間隔を上下方向に有して、第２保持孔３４、３４が形成され、第２保持孔３４、３４には合成樹脂製の第２保持部材３５、３５がとりつけられる一方、第２保持孔３４、３４に対応する高さ位置で、補強部材７、７の前後片７１、７１、７２、７２に、前後方向に連通する第３保持孔３６・・・が形成されている。そして、キャビネット本体２０を机天板１１の下方に収納して使用する時は、キャビネット本体２０から、キャビネット天板５を上方に持ち上げて、左支持脚３、３を第１保持孔３１、３１（第１保持部材３２、３２）から抜き出し、取り外されたは左支持脚３、３を、第２保持部材３５、３５（第２保持孔３４、３４）及び第３保持孔３６・・・に貫挿させて、キャビネット本体２０の後面にキャビネット天板５は保持される。
【００１２】
すなわち、天板支持脚３、３間のキャビネット天板５の裏面には、ロータリーキャッチの雄部８１が取付けられ、これに対応して、側板２１の後端面には雌部８２が設けられて、天板支持脚３・・・が第２保持部材３５、３５（第２保持孔３４、３４）及び第３保持孔３５・・・に貫通された状態で、天板５の雄部８１が側板２１の雌部８２に保持され、天板支持脚３・・・が第２保持部材３５、３５より容易に抜け出す事はない。
【００１３】
【発明の効果】
請求項１に記載の発明によると、キャビネット本体が机天板の下方で使用される時には、キャビネット天板を左右支持脚を介してキャビネット本体の後方で保持したので、従来のように、キャビネット天板を昇降させる機構をキャビネットに組み込む必要がないので安価に製作でき、投資費用に対し十分な効果が期待できる。
請求項２に記載の発明によると、キャビネト天板の取付位置は左右側板の上端面と後端面に左右支持脚が貫挿する第１、第２保持孔を設けるだけの簡単な構造であるから、安価に製作出来、着脱作業も容易である。
【図面の簡単な説明】
【図１】本発明を机天板の下方で使用した状態の斜視図
【図２】本発明を机に並設して使用した状態の斜視図
【図３】本発明の正面図
【図４】本発明の側面図
【図５】図１のＡ―Ａ線拡大断面図
【図６】図５のＢ―Ｂ線断面図
【図７】図６のＣ部拡大図
【図８】図６のＤ部拡大図
【図９】図６のＥ部拡大図
【図１０】図６のＦ部拡大図
【符号の説明】
１                  机
１１                机天板
２                  キャビネット
２０                キャビネット本体
２１、２１          左右側板
２２                底板
２３                後板
３・・・            支持脚
３１・・・          第１保持孔
３２・・・          第２保持孔
４                  棚板
５                  キャビネット天板
７                  補強材
【図１】
2005000291.tif 000003
【図２】
2005000291.tif 000004
【図３】
2005000291.tif 000005
【図４】
2005000291.tif 000006
【図５】
2005000291.tif 000007
【図６】
2005000291.tif 000008
【図７】
2005000291.tif 000009
【図８】
2005000291.tif 000010
【図９】
2005000291.tif 000011
【図１０】
2005000291.tif 000012